(57)【要約】【課題】スイッチング電源回路を有するＬＥＤ点灯装置について、広い入力電流範囲にわたって高い入力力率を得ることができる構成を実現し、これにより多種のＬＥＤ照明器具に適合する標準電源を提供する。【解決手段】本発明のＬＥＤ点灯装置１は、交流入力電流を整流する整流回路３、整流回路の出力が充電される第１のコンデンサ４、第１のコンデンサの電圧を所定の直流出力に変換してＬＥＤアレイに投入するスイッチング電源回路５、及びコンデンサ切替回路６を備え、コンデンサ切替回路は、交流入力電流を検出する入力電流検出部、入力電流検出部で検出される交流入力電流値が所定値を超えると導通状態となるスイッチ部、及びスイッチ部に直列接続された第２のコンデンサ６７を有し、スイッチ部と第２のコンデンサの直列回路が第１のコンデンサに並列接続される。  【選択図】図１
2014082148.tif 000002
【特許請求の範囲】
【請求項１】
ＬＥＤ点灯装置であって、
交流入力電流を整流する整流回路、
前記整流回路の出力が充電される第１のコンデンサ、
前記第１のコンデンサの電圧を所定の直流出力に変換してＬＥＤアレイに投入するスイッチング電源回路、及び
コンデンサ切替回路であって、前記交流入力電流を検出する入力電流検出部、該入力電流検出部で検出される交流入力電流値が所定値を超えると導通状態となるスイッチ部、及び該スイッチ部に直列接続された第２のコンデンサを有し、該スイッチ部と該第２のコンデンサの直列回路が前記第１のコンデンサに並列接続された、コンデンサ切替回路
を備えたＬＥＤ点灯装置。
【請求項２】
請求項１に記載のＬＥＤ点灯装置において、前記第１のコンデンサが０．１μＦ以上１μＦ以下のフィルムコンデンサである、ＬＥＤ点灯装置。
【請求項３】
請求項１に記載のＬＥＤ点灯装置において、前記入力電流検出部が、前記整流回路の前段の入力ラインの一方に一次巻線が挿入されたカレントトランスを備え、該カレントトランスの二次巻線に発生する電圧が所定値を超えると前記スイッチ部が導通状態となるように構成されたＬＥＤ点灯装置。
【請求項４】
請求項１から３のいずれか一項に記載のＬＥＤ点灯装置、該ＬＥＤ点灯装置から給電されるＬＥＤアレイ、及び該ＬＥＤ点灯装置を内包する筐体を備えたＬＥＤ照明器具。
【発明の詳細な説明】
【技術分野】
【０００１】
本発明はＬＥＤ点灯装置及びそれを用いたＬＥＤ照明器具に関する。
【背景技術】
【０００２】
近年、ＬＥＤの高輝度化が進み、白熱灯、蛍光灯、高圧放電灯等に代わりＬＥＤ光源を用いた照明器具が普及しつつある。蛍光灯、高圧放電灯等の場合、ランプ種に対応して定格値（定格電力、定格電流）がそれぞれ設定されているため、ランプ電流を制御する電子安定器もそれぞれのランプに対して定格出力値が設定される。従って、ランプ種毎に適合された電子安定器が存在する。ＬＥＤ光源の場合、ＬＥＤ素子は直流電流によって発光されるため、一般的には直流定電流電源からなるＬＥＤ点灯装置が電子安定器として用いられる。ここで、搭載されるＬＥＤ素子数は照明器具の仕様に応じて異なり、即ち、ＬＥＤ素子の種類が同じでも接続数が任意に設定できるため、ＬＥＤ点灯装置の出力態様はＬＥＤ素子の種類ではなく照明器具の種類に応じて存在することになる。
【０００３】
ここで、照明器具毎に専用の出力設定を持つＬＥＤ点灯装置を設計すると、装置の機種が非常に多くなってしまうため、１つのＬＥＤ点灯装置で複数の照明器具に対応できるように、標準化されたＬＥＤ点灯装置（標準電源）が設計されることが望ましい。この場合、標準電源の許容電力（定格電力）及び許容電流（定格電流）の範囲内でＬＥＤ素子数が選択され、ＬＥＤ電流が調整される。例えば、標準電源の最大出力電力が１００Ｗ、最大出力電流が５００ｍＷである場合、ＬＥＤ電圧が２００Ｖ以下で、ＬＥＤ電流が５００ｍＡ以下となる範囲で任意に選択される数のＬＥＤ素子が直列接続され得る（さらにＬＥＤ電流は要求仕様に応じて調整される）。
【０００４】
一般的なＬＥＤ点灯装置の回路構成が、例えば特許文献１に開示される。同文献を参照すると、交流電源（Ｖｓ）からの入力がフィルタ回路部（３）によってフィルタリングされ、全波整流器（ＢＤ）によって全波整流され、全波整流出力がコンデンサ（Ｃ１）によって平滑される。コンデンサによって平滑された電圧が、フライバックコンバータ等からなるスイッチング電源回路部（１）によって直流化され、その直流電流がＬＥＤ発光部（２）に投入され、各ＬＥＤが発光する。
【先行技術文献】
【特許文献】
【０００５】
【特許文献１】特開２００９−１３４９４５号公報
【発明の概要】
【発明が解決しようとする課題】
【０００６】
上記のような標準電源では、仕様により規定される入力電圧範囲、及びＬＥＤ素子接続数に応じた負荷電力範囲に対して、所定の入力力率を確保することが要求される。そして、ＬＥＤ照明器具の多様化に伴い、１つの標準電源に対応させるべき入力電圧範囲及び負荷電力範囲（ＬＥＤ素子接続数）は拡大される傾向にある。
【０００７】
ここで、入力電圧範囲及び負荷電力範囲が拡大された場合でも、その全ての範囲にわたって所定の入力力率を確保する必要がある。例えば、詳細を後述するように、最大入力電圧かつ最小負荷電力で入力電流が非常に小さい場合や、最小入力電圧かつ最大負荷電力で入力電流が最大となる場合が存在し得る。しかし、一般的なＬＥＤ点灯装置の構成では、このような両極端な設定に対して、即ち、広い入力電流範囲に対して高い入力力率（例えば、９０％以上）を確保することが難しいという問題があった。
【０００８】
そこで、本発明は、スイッチング電源回路を有するＬＥＤ点灯装置において、広い入力電流範囲にわたって高い入力力率を得ることができる構成を実現し、それにより多種のＬＥＤ照明器具に適合する標準電源を提供することを課題とする。
【課題を解決するための手段】
【０００９】
本発明のＬＥＤ点灯装置は、交流入力電流を整流する整流回路、整流回路の出力が充電される第１のコンデンサ、第１のコンデンサの電圧を所定の直流出力に変換してＬＥＤアレイに投入するスイッチング電源回路、及びコンデンサ切替回路を備え、コンデンサ切替回路は、交流入力電流を検出する入力電流検出部、入力電流検出部で検出される交流入力電流値が所定値を超えると導通状態となるスイッチ部、及びスイッチ部に直列接続された第２のコンデンサを有し、スイッチ部と第２のコンデンサの直列回路が第１のコンデンサに並列接続される。
【００１０】
ここで、第１のコンデンサは０．１μＦ以上１μＦ以下のフィルムコンデンサであればよい。また、入力電流検出部が、整流回路の前段の入力ラインの一方に一次巻線が挿入されたカレントトランスを備え、カレントトランスの二次巻線に発生する電圧が所定値を超えるとスイッチ部が導通状態となるように構成されることが好ましい。
【００１１】
本発明のＬＥＤ照明器具は、上記ＬＥＤ点灯装置、ＬＥＤ点灯装置から給電されるＬＥＤアレイ、及びＬＥＤ点灯装置を内包する筐体を備える。
【図面の簡単な説明】
【００１２】
【図１】本発明の実施例によるＬＥＤ点灯装置を示す図である。
【図２】実施例のＬＥＤ点灯装置の動作を説明する図である。
【図３】実施例及び比較例のＬＥＤ点灯装置の動作を説明する図である。
【図４Ａ】実施例のＬＥＤ点灯装置の動作を説明する図である。
【図４Ｂ】実施例のＬＥＤ点灯装置の動作を説明する図である。
【図５】本発明の変形例によるＬＥＤ点灯装置を示す図である。
【図６】比較例のＬＥＤ点灯装置を示す図である。
【図７Ａ】比較例のＬＥＤ点灯装置の動作を説明する図である。
【図７Ｂ】比較例のＬＥＤ点灯装置の動作を説明する図である。
【図８Ａ】比較例のＬＥＤ点灯装置の動作を説明する図である。
【図８Ｂ】比較例のＬＥＤ点灯装置の動作を説明する図である。
【図９】比較例のＬＥＤ点灯装置の動作を説明する図である。
【発明を実施するための形態】
【００１３】
実施例．
図１に本発明の実施例によるＬＥＤ点灯装置（以下、「点灯装置」という）の回路図を示す。本発明の点灯装置１は、フィルタ回路２、整流回路３、コンデンサ４（第１のコンデンサ）、スイッチング電源回路５、及びコンデンサ切替回路６を備える。そして、点灯装置１、点灯装置１からの給電されるＬＥＤアレイ７、及び点灯装置１を内包する筐体（不図示）を備えて照明器具が構成される。なお、以降の説明において、各回路素子が上記のどの回路に属するかは便宜的なものであり、本発明を拘束するものではない。また、以降の説明において、「入力電圧」とはＡＣ電源から点灯装置１に投入される交流入力電圧のことを意味し、「入力電流」とはＡＣ電源から点灯装置１に流れる交流入力電流のことを意味するものとする。
【００１４】
フィルタ回路２は、コンデンサ２０、コイル２１及びコンデンサ２２を備え、電源ラインのノイズ、即ち、点灯装置１からＡＣ電源へ伝搬し得るノイズを低減する。整流回路３はダイオードブリッジ等の全波整流器であり、フィルタ回路２を通過した交流入力を全波整流する。コンデンサ４は０．１μＦ以上１μＦ以下のフィルムコンデンサからなり、整流回路３の全波整流出力が充電される。
【００１５】
スイッチング電源回路５は、本実施例ではコンデンサ４を電源とするフライバックコンバータからなり、トランス５０、トランジスタ５１、ダイオード５２、コンデンサ５３、電流検出抵抗５４、オペアンプ５５、電圧源５６、フォトカプラ５７、及び制御回路５８を備える。トランジスタ５１は、例えばＭＯＳＦＥＴからなり、制御回路５８によって高周波（例えば、数１０ｋＨｚ）でオンオフ制御され、トランス５０の一次巻線をスイッチングする。トランジスタ５１のオン時にトランス５０に蓄えられたエネルギーを元にトランス５０の二次巻線に発生する電圧がダイオード５２及びコンデンサ５３によって整流平滑され、直流出力が得られる。これによりＬＥＤアレイ７に直流出力が投入される。
【００１６】
電流検出抵抗５４にはＬＥＤアレイ７に流れる電流に応じた検出電圧が発生し、検出電圧がオペアンプ５５の一方の端子（−）に入力される。オペアンプ５５の他方の端子（＋）には電圧源５６からの設定電圧が入力される。オペアンプ５５は検出電圧と基準電圧の誤差を出力し、フォトカプラ５７のダイオードの順電流を決定する。フォトカプラ５７のアノード入力端子には固定電圧源が接続される。フォトカプラ５７のトランジスタには固定電圧源が抵抗を介して接続される。
【００１７】
制御回路５８は、本実施例ではドライバＩＣからなり、フォトカプラ５７の出力が平均されてフィードバック（ＦＢ）端子に入力される。制御回路５８の内部では、コンパレータ５８ａの一方の端子（＋）にＦＢ端子電圧が入力され、他方の端子（−）に内部発振器ＯＳＣの出力が入力され、比較出力によりトランジスタ５１のオン時間が決定される。従って、ＬＥＤ電流が設定値よりも小さいとトランジスタ５１のオン幅が大きくなり、ＬＥＤ電流が設定値よりも大きいとトランジスタ５１のオン幅が小さくなるように、トランジスタ５１がＰＷＭ制御される。また、図２に示すように、入力電圧の半サイクルについて、トランジスタ５１は断続的にスイッチングされ、このスイッチング動作により入力電流波形が入力電圧波形に略比例し、正弦波に近づく。これにより、１つのフライバックコンバータ回路によるスイッチング動作により高入力力率を実現することができる。
【００１８】
コンデンサ切替回路６は、入力電流を検出する入力電流検出部、入力電流検出部で検出される入力電流値が所定値を超えると導通状態となるスイッチ部、及びスイッチ部に直列接続されたコンデンサ６７（第２のコンデンサ）を備え、スイッチ部とコンデンサ６７の直列回路がコンデンサ４に並列接続される。
【００１９】
入力電流検出部は、カレントトランス６０、ダイオード６１、コンデンサ６２、抵抗６３及びツェナーダイオード６４を備える。カレントトランス６０の一次巻線は整流回路３の前段の一方の入力ラインＬ１に挿入され、その二次巻線側にダイオード６１、コンデンサ６２及び抵抗６３からなる整流平滑回路が接続される。コンデンサ６２の負端子側は基準電位ラインＬ２に接続される。コンデンサ６２の正端子側にはツェナーダイオード６４のカソードが接続され、ツェナーダイオード６４のアノードはトランジスタ６５のベースに接続される。
【００２０】
スイッチ部はトランジスタ６５及びダイオード６６を備え、トランジスタ６５とダイオード６６はコンデンサ６７と基準電位ラインＬ２の間に逆並列に接続される。即ち、トランジスタ６５のコレクタ及びダイオード６６のカソードがコンデンサ６７に接続され、トランジスタ６５のエミッタ及びダイオード６６のアノードが基準電位ラインＬ２に接続される。
【００２１】
コンデンサ切替回路６の動作を説明する。入力ラインＬ１に交流入力電流が流れると、入力電流に比例した電圧がカレントトランス６０の二次巻線に発生する。二次巻線に発生した電圧がダイオード６１、コンデンサ６２及び適正な抵抗値の抵抗６３により整流平滑され、入力電流値に比例する直流電圧が得られる。コンデンサ６２の直流電圧がツェナーダイオード６４のツェナー電圧以下の場合、トランジスタ６５のオフ状態（非導通状態）が維持され、コンデンサ６７に充電電流は流れない。従って、コンデンサ６７は非接続状態に維持される。一方、コンデンサ６２の直流電圧がツェナーダイオード６４のツェナー電圧を超える場合、コンデンサ６２からトランジスタ６５のベースに電流が供給され、トランジスタ６５のオン状態（導通状態）が維持される。
【００２２】
トランジスタ６５が導通状態の場合、コンデンサ６７は、コンデンサ４と同様に、高電位ラインＬ３と基準電位ラインＬ２の間に接続された状態となる。従って、コンデンサ６７の充電時には整流回路３のカソード側の高電位ラインＬ３からコンデンサ６７及びトランジスタ６５を介して基準電位ラインＬ２に電流が流れ、コンデンサ６７の放電時には基準電位ラインＬ２からダイオード６６及びコンデンサ６７を介して高電位ラインＬ３に電流が流れる。
【００２３】
ここで、比較例として、コンデンサ切替回路６がない一般的な点灯装置１０について説明する。図６に比較例の点灯装置１０の回路図を示し、その動作を図２、図３、図７Ａ、図７Ｂ、図８Ａ、図８Ｂ及び図９を参照して説明する。
【００２４】
図３に、点灯装置１０の設計中心値（即ち、入力電流の設計中心値）付近での動作時の各部の電圧・電流波形を示す。（ａ）に示す入力電圧が投入されると、（ｃ）に示すように、整流回路３によって入力電圧が全波整流され、これがコンデンサ４の電圧となる。コンデンサ４の電圧を入力とするスイッチング電源回路５の動作により、（ｄ）に示すように、直流電圧がＬＥＤアレイ７に印加される。なお、ＬＥＤ電圧は入力電圧に同期した僅かなリップルを持つが実質的には直流電圧である。ＬＥＤアレイ７に通電される電流は、（ｅ）に示すように、スイッチング電源回路５による力率改善動作に起因して電源電圧に同期したリップルを持つ直流電流となる。また、図２について上述したように、トランジスタ５１のスイッチング制御により入力電流波形が入力電圧波形に略比例し、正弦波に近づく。これにより、図３（ｂ）に示すように、入力電流波形が正弦波に近似することにより、高い入力力率の実現が期待される。しかし、点灯装置１０では、上述したような高入力力率動作の得られる入力電流の範囲が狭いことが問題となる。
【００２５】
ここで、点灯装置１０のコンデンサ４の容量を、最大負荷時（最大入力電流時）にスイッチング電源回路５の動作電流を供給できる大きさに選定した場合を想定する。具体的には、点灯装置１０は、最大出力電力が１００Ｗ、最大出力電流が５００ｍＡとなるように設計され、コンデンサ４の容量は０．４７μＦであるものとする。また、点灯装置１０はＡＣ１００Ｖ、ＡＣ２００Ｖ及びＡＣ２４０Ｖの入力電圧に対応するように設計されるものとする。図７Ａに、この設計における各入力電圧についてのＬＥＤ電力及び入力電流（実効値）の関係を示す。また、図７Ｂに、図７Ａと同じ条件におけるＬＥＤ電力及び入力力率の関係を示す。
【００２６】
上記設計によると、図７Ｂに示すように、入力電圧が低く又はＬＥＤ電力が高い場合、即ち、入力電流が大きい場合においては、高い入力力率が確保される。一方、入力電圧が高く（例えばＡＣ２４０Ｖ）かつＬＥＤ電力が低い場合、即ち、入力電流が小さい場合においては、入力力率が低下してしまう。これは、ＬＥＤアレイ７での消費電力に相当する入力電流に対して、コンデンサ４に流れる電流の割合が高くなってしまうためである。
【００２７】
一方、点灯装置１０のコンデンサ４の容量を、低入力電流時に入力力率を確保できる大きさに選定した場合を想定する。具体的には、上記の点灯装置１０において、コンデンサ４の容量が０．１μＦに変更される。図８Ａに、この設計における各入力電圧についてのＬＥＤ電力及び入力電流（実効値）の関係を示す。また、図８Ｂに、図８Ａと同じ条件におけるＬＥＤ電力及び入力力率の関係を示す。
【００２８】
上記設計によると、図８Ｂに示すように、入力電圧が高く又はＬＥＤ電力が低い場合、即ち、入力電流が小さい場合においては、高い入力力率が確保される。一方、入力電圧が低く（例えばＡＣ１００Ｖ）かつＬＥＤ電力が高い場合、即ち、入力電流が大きい場合においては、入力力率が低下してしまう。特に、入力電流がある点（０．９Ａ付近）を越えると、入力力率の低下が顕著なものとなる。これは、スイッチング電源回路５における高周波スイッチング電流に対してコンデンサ４の容量が不足し、高周波電流がＡＣ電源からフィルタ回路２を介して点灯装置１０側に流れ込んでしまうためである。
【００２９】
図９に、図８Ａ及び８Ｂの設定における低入力電流時の各部の波形を示す。図９の（ａ）、（ｃ）、（ｄ）及び（ｅ）は図３の（ａ）、（ｃ）、（ｄ）及び（ｅ）に実質的に対応するが、図９（ｂ）が図３（ｂ）と異なる。図９（ｂ）に示すように、点灯装置１０の入力電流波形は、略正弦波の入力電流に高周波電流が重畳された波形となる。その結果、入力力率の低下に加えて、入力電流が増加することに起因するコイル２１、全波整流回路３等の温度上昇、及びＡＣ電源ラインに高周波電流が流れることに起因する周辺機器へのノイズ等の悪影響が問題となり得る。
【００３０】
これに対して、本発明の実施例による点灯装置１（図１）では、上述したように、入力電流が所定値以下の場合にはコンデンサ切替回路６のトランジスタ６５が非導通状態となり、所定値を超えるとコンデンサ切替回路６のトランジスタ６５が導通状態となるように構成される。従って、入力電流が小さい場合にはコンデンサ４が単独で接続されて小さい合成容量設定で動作が行われ、入力電流が所定値を超える場合にはコンデンサ４とコンデンサ６７の並列回路が接続されて大きい合成容量設定で動作が行われることになる。
【００３１】
従って、入力電流が小さい場合（入力電圧が高くかつＬＥＤ電力が低い）場合には、整流回路３の出力端間に接続されるコンデンサの容量を小さくして、入力力率を確保することができる。一方、入力電流が大きい場合、例えば、入力電圧が低く（ＡＣ１００Ｖ）かつＬＥＤ電力が高い（ＬＥＤ接続素子数が多い）場合には、スイッチング電源回路５の入力端間に接続されるコンデンサの合成容量を大きくして、入力力率を確保することができる。即ち、想定される入力電流の全範囲で、図３に示した各部波形が得られることになる。
【００３２】
従って、比較例の点灯装置１０と同様の要求仕様、即ち、最大出力電力が１００Ｗ、最大出力電流が５００ｍＡ、入力電圧がＡＣ１００Ｖ〜２４０Ｖの場合を想定すると、コンデンサ４の容量は０．１μＦ程度であればよく、コンデンサ６７の容量は、コンデンサ４との合成容量が０．４７μＦ前後となるもの（０．３３μＦ〜０．４７μＦ等）であればよい。なお、コンデンサ４及び６７の容量は、標準電源の要求仕様で規定される最大出力電力、最大出力電流、入力電圧範囲等に応じて設定される。但し、コンデンサ４及び６７にはフィルムコンデンサが用いられることから、その入手性、コスト、サイズ等を考慮して各々の容量を１μＦ以下とすることが望ましい。
【００３３】
また、本実施例では、入力電流値（実効値）が、例えば、０．６Ａ〜０．８Ａの間のいずれかの点でトランジスタ６５がオンするように、カレントトランス６０の仕様、ツェナーダイオード６４のツェナー電圧等が選定されようにすればよい。但し、トランジスタ６５がオンする入力電流値は、標準電源の要求仕様に応じて適宜設定される。
【００３４】
図４Ａに、点灯装置１における各入力電圧についてのＬＥＤ電力及び入力電流の関係を示し、図４Ｂに、同じ条件におけるＬＥＤ電力及び入力力率の関係を示す。図４Ｂから分かるように、本実施例の点灯装置１によると、ＬＥＤ電力、入力電圧、及び入力電流の全ての範囲において、９０％以上の高い入力力率が得られる。
【００３５】
以上より、本発明によると、スイッチング電源回路を有する点灯装置において、電源電圧が高くかつ出力電力が低い低入力電流時の力率を確保したうえで、電源電圧が低くかつ出力電力が高い高入力電流時の入力力率も確保することができる。これにより、より多くの種類（仕様）のＬＥＤ照明器具に適合する標準電源を提供できる。また、上記コンデンサ切替回路６は比較的簡素な構成で実施でき、コスト的、サイズ的に好適である。さらに、本発明によると、広い入力電圧範囲かつ広い出力電力範囲を高入力力率でカバーするＬＥＤ照明器具を提供することができる。
【００３６】
変形例．
上記に本発明の好適な実施例を示したが、本発明は以下のように種々の変形が可能である。
【００３７】
上記実施例では、スイッチング電源回路５として、１つのコンバータ回路で力率改善と直流変換を行ういわゆるワンコンバータ方式のものを示したが、スイッチング電源回路５が個別の力率改善回路（ＰＦＣ）と直流変換回路を備えるようにしてもよい。例えば、図５に示すように、スイッチング電源回路５が力率改善回路８及びＤＣ／ＤＣコンバータ回路９からなるようにしてもよい。そして、上述したように、入力電流に応じてコンデンサ４が単独で、又はコンデンサ４とコンデンサ６７の並列回路が力率改善回路８の入力端に接続されるようにしてもよい。力率改善回路８は、例えば、コイル８０、トランジスタ（ＭＯＳＦＥＴ）８１、ダイオード８２、コンデンサ８３及び制御回路８４を備えた昇圧チョッパ回路であればよい。また、ＤＣ／ＤＣコンバータ回路９は周知のフライバック回路、降圧チョッパ回路からなるようにすればよい。この場合、ＤＣ／ＤＣコンバータ回路９においては力率改善作用を担保する必要がないので設計の自由度が高まる。
【００３８】
上記実施例では、コンデンサの合成容量が２段階に切り替えられる構成としたが３段階以上に切り替えられる構成としてもよい。例えば、３段階に切り替えられる場合、ツェナーダイオード６４、トランジスタ６５、ダイオード６６及びコンデンサ６７と同様の構成をさらに１セット設け、２つのツェナーダイオードについて、互いに異なるツェナー電圧のツェナーダイオードが選定されるようにすればよい。
【００３９】
上記実施例では、カレントトランス６０を整流回路３の前段（入力ラインＬ１）に接続したが、整流回路３の後段（基準電位ラインＬ２又は高電位ラインＬ３）でかつコンデンサ６７の前段に接続してもよい。
【００４０】
上記実施例では、コンデンサ切替回路６のスイッチ部をトランジスタ６５及びダイオード６６で構成したが、スイッチ部を回生ダイオード付きＭＯＳＦＥＴで構成してもよい。この場合、コンデンサ切替回路がコンパレータを備え、コンパレータの正入力端子に入力電流検出部の出力が接続され、負入力端子に閾値を供給する定電圧源が接続され、出力端子にＭＯＳＦＥＴのゲート端子が接続されるようにすればよい。これにより、入力電流検出部による検出値が閾値を超えた場合にコンパレータの出力がハイ状態となり、ＭＯＳＦＥＴが導通状態となり、実施例と同様の作用及び効果が得られる。
【符号の説明】
【００４１】
１  ＬＥＤ点灯装置
２  フィルタ回路
３  整流回路
４  コンデンサ（第１のコンデンサ）
５  スイッチング電源回路
６  コンデンサ切替回路
６０  カレントトランス
６１  ダイオード
６２  コンデンサ
６３  抵抗
６４  ツェナーダイオード
６５  トランジスタ
６６  ダイオード
６７  コンデンサ（第２のコンデンサ）
７  ＬＥＤアレイ
８  力率改善回路
９  ＤＣ／ＤＣコンバータ回路
【図１】
2014082148.tif 000003
【図２】
2014082148.tif 000004
【図３】
2014082148.tif 000005
【図４Ａ】
2014082148.tif 000006
【図４Ｂ】
2014082148.tif 000007
【図５】
2014082148.tif 000008
【図６】
2014082148.tif 000009
【図７Ａ】
2014082148.tif 000010
【図７Ｂ】
2014082148.tif 000011
【図８Ａ】
2014082148.tif 000012
【図８Ｂ】
2014082148.tif 000013
【図９】
2014082148.tif 000014